【手続補正書】
【提出日】平成20年9月16日(2008.9.16)
【手続補正１】
【補正対象書類名】特許請求の範囲
【補正対象項目名】全文
【補正方法】変更
【補正の内容】
【特許請求の範囲】
【請求項１】
デジタル文書を変更する方法であって、当該方法が、
前記デジタル文書を１つ以上の第１のデジタル画像に変換するステップと、
前記デジタル文書のハードコピーに対して実行された変更済のデータから１つ以上の第２のデジタル画像を生成するステップと、
前記デジタル文書のハードコピーに対して実行された変更を判定するために、前記１つ以上の第１のデジタル画像を、前記１つ以上の第２のデジタル画像と比較するステップと、
前記判定された変更に基づいて、前記デジタル文書を変更するステップと、
を備えることを特徴とする方法。
【請求項２】
１つ以上の位置合わせデジタル画像を判定するために、前記１つ以上の第１のデジタル画像を、前記１つ以上の第２のデジタル画像と位置合わせするステップを更に備えることを特徴とする請求項１に記載の方法。
【請求項３】
前記第１のデジタル画像及び前記第２のデジタル画像は、カラーデジタル画像であり、前記１つ以上の第１のデジタル画像の色を、前記１つ以上の位置合わせデジタル画像の色と色合わせするステップを更に備えることを特徴とする請求項２に記載の方法。
【請求項４】
前記デジタル文書のハードコピーに対して実行された変更を判定するために、色合わせ済となった前記位置合わせデジタル画像を、前記１つ以上の第１のデジタル画像と比較するステップを更に備えることを特徴とする請求項３に記載の方法。
【請求項５】
１つ以上の変更済デジタル画像を判定するために、前記デジタル文書のハードコピーに対して実行されたと判定された変更をマージするステップを更に備えることを特徴とする請求項４に記載の方法。
【請求項６】
前記判定された変更は、２つ以上の変更をマージする所定の閾値に基づいてマージされることを特徴とする請求項５に記載の方法。
【請求項７】
前記１つ以上の変更済デジタル画像から、わずかな変更を全て除去するステップを更に備えることを特徴とする請求項５に記載の方法。
【請求項８】
前記判定された変更を前記デジタル文書中に挿入するステップを更に備えることを特徴とする請求項１に記載の方法。
【請求項９】
１つ以上の挿入済変更は、前記デジタル文書の関連テキストに固定されることを特徴とする請求項８に記載の方法。
【請求項１０】
前記デジタル文書は、少なくとも３つの色を含むことを特徴とする請求項１に記載の方法。
【請求項１１】
前記１つ以上の第２のデジタル画像は、走査処理又はコピー処理により生成されることを特徴とする請求項１に記載の方法。
【請求項１２】
デジタル文書を変更する装置であって、当該装置が、
前記デジタル文書を１つ以上の第１のデジタル画像に変換する変換手段と、
前記デジタル文書のハードコピーに対して実行された変更済のデータから１つ以上の第２のデジタル画像を生成するデジタル画像生成手段と、
前記デジタル文書のハードコピーに対して実行された変更を判定するために、前記１つ以上の第１のデジタル画像を、前記１つ以上の第２のデジタル画像と比較する比較手段と、
前記判定された変更に基づいて、前記デジタル文書を変更するデジタル文書変更手段と、
を備えることを特徴とする装置。
【請求項１３】
デジタル文書を変更する方法をコンピュータに実行させるコンピュータプログラムであって、当該方法が、
前記デジタル文書を１つ以上の第１のデジタル画像に変換するステップと、
前記デジタル文書のハードコピーに対して実行された変更済のデータから１つ以上の第２のデジタル画像を生成するステップと、
前記デジタル文書のハードコピーに対して実行された変更を判定するために、前記１つ以上の第１のデジタル画像を、前記１つ以上の第２のデジタル画像と比較するステップと、
前記判定された変更に基づいて、前記デジタル文書を変更するステップと、
を備えることを特徴とするコンピュータプログラム。
【請求項１４】
デジタル文書を変更する方法をコンピュータに実行させるコンピュータプログラムが格納されたコンピュータ可読の記憶媒体であって、当該方法が、
前記デジタル文書を１つ以上の第１のデジタル画像に変換するステップと、
前記デジタル文書のハードコピーの変更済バージョンから１つ以上の第２のデジタル画像を生成するステップと、
前記デジタル文書のハードコピーに対して実行された変更を判定するために、前記１つ以上の第１のデジタル画像を、前記１つ以上の第２のデジタル画像と比較するステップと、
前記判定された変更に基づいて、前記デジタル文書を変更するステップと、
を備えることを特徴とする記憶媒体。
【手続補正２】
【補正対象書類名】明細書
【補正対象項目名】発明の名称
【補正方法】変更
【補正の内容】
【発明の名称】デジタル文書を変更する方法、装置及び記憶媒体
【手続補正３】
【補正対象書類名】明細書
【補正対象項目名】００１４
【補正方法】変更
【補正の内容】
【００１４】
本発明の１つの面によると、デジタル文書を変更する方法であって、当該方法が、
前記デジタル文書を１つ以上の第１のデジタル画像に変換するステップと、
前記デジタル文書のハードコピーに対して実行された変更済のデータから１つ以上の第２のデジタル画像を生成するステップと、
前記デジタル文書のハードコピーに対して実行された変更を判定するために、前記１つ以上の第１のデジタル画像を、前記１つ以上の第２のデジタル画像と比較するステップと、
前記判定された変更に基づいて、前記デジタル文書を変更するステップと、
を備えることを特徴とする。
【手続補正４】
【補正対象書類名】明細書
【補正対象項目名】００１５
【補正方法】変更
【補正の内容】
【００１５】
本発明の別の側面によると、デジタル文書を変更する装置であって、当該装置が、
前記デジタル文書を１つ以上の第１のデジタル画像に変換する変換手段と、
前記デジタル文書のハードコピーに対して実行された変更済のデータから１つ以上の第２のデジタル画像を生成するデジタル画像生成手段と、
前記デジタル文書のハードコピーに対して実行された変更を判定するために、前記１つ以上の第１のデジタル画像を、前記１つ以上の第２のデジタル画像と比較する比較手段と、
前記判定された変更に基づいて、前記デジタル文書を変更するデジタル文書変更手段と、を備えることを特徴とする。
【手続補正５】
【補正対象書類名】明細書
【補正対象項目名】００１６
【補正方法】変更
【補正の内容】
【００１６】
本発明の別の面によると、デジタル文書を変更する方法をコンピュータに実行させるコンピュータプログラムであって、当該方法が、
前記デジタル文書を１つ以上の第１のデジタル画像に変換するステップと、
前記デジタル文書のハードコピーに対して実行された変更済のデータから１つ以上の第２のデジタル画像を生成するステップと、
前記デジタル文書のハードコピーに対して実行された変更を判定するために、前記１つ以上の第１のデジタル画像を、前記１つ以上の第２のデジタル画像と比較するステップと、
前記判定された変更に基づいて、前記デジタル文書を変更するステップと、を備えることを特徴とする。
【手続補正６】
【補正対象書類名】明細書
【補正対象項目名】００１７
【補正方法】変更
【補正の内容】
【００１７】
本発明の別の面によると、デジタル文書を変更する方法をコンピュータに実行させるコンピュータプログラムが格納されたコンピュータ可読の記憶媒体であって、当該方法が、
前記デジタル文書を１つ以上の第１のデジタル画像に変換するステップと、
前記デジタル文書のハードコピーの変更済バージョンから１つ以上の第２のデジタル画像を生成するステップと、
前記デジタル文書のハードコピーに対して実行された変更を判定するために、前記１つ以上の第１のデジタル画像を、前記１つ以上の第２のデジタル画像と比較するステップと、
前記判定された変更に基づいて、前記デジタル文書を変更するステップと、
を備えることを特徴とする。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】